(57)【特許請求の範囲】
【請求項１】
医療用具本体（２）と、接続内管（３）と、接続外管（４）と、チューブ（６）とを有し、
前記医療用具本体（２）、前記接続内管（３）、前記接続外管（４）及び前記チューブ（６）の各部材は、それぞれ長手方向を有し、
前記医療用具本体（２）は、前記長手方向に上部方向と、底部方向とを有し、
前記接続内管（３）、前記接続外管（４）及び前記チューブ（６）の各部材は、
前記長手方向に近位部と遠位部とを有し、さらに前記長手方向と略垂直に交わる周方向を有し、
前記近位部は、前記医療用具本体（２）の底部（Ｂ）方向に近い位置であり、
前記遠位部は、前記医療用具本体（２）の底部（Ｂ）方向に遠い位置であり、
前記医療用具本体（２）の底部（Ｂ）から上部方向と反対方向に、前記接続外管（４）を突設し、
当該接続外管（４）の近位部に、肉薄の弾性変形部（５）を介して、前記接続内管（３）の近位部を接続し、当該接続内管（３）は、前記医療用具本体（２）の上部方向と反対方向に突設し、
前記接続内管（３）と前記接続外管（４）は、前記医療用具本体（２）の底部（Ｂ）方向に向けて、次第に拡径するテーパー（ＴＰ）状に形成し、
前記接続内管（３）の外周に前記チューブ（６）を接続し、
前記チューブ（６）を医療用具本体（２）に接続する時に、
前記チューブ（６）の近位部を、前記医療用具本体（２）の上部方向に、押し込むことで、前記接続内管（３）の外周と前記チューブ（６）の内周との摩擦により、前記弾性変形部（５）が変形・延伸して、
前記接続内管（３）の近位部は、前記医療用具本体（２）の底部（Ｂ）よりも上部方向に押し込まれ、
前記接続内管（３）の外周と前記接続外管（４）の内周との間隔は広くなり、これにより前記接続外管（４）の内周と、前記チューブ（６）の外周とのとの間に隙間が生じ、前記チューブ（６）の外周は、前記接続内管（３）の外周に挿入され、
前記チューブ（６）の遠位部方向に力を加える時は、
前記弾性変形部（５）が、前記医療用具本体（２）の底部（Ｂ）から、前記チューブ（６）の遠位部方向に変形し、
前記接続内管（３）は、前記接続外管（４）より前記チューブ（６）の遠位部方向に引き出され、
前記接続内管（３）の外周と前記接続外管（４）の内周との間隔は狭くなり、
さらに接続内管（３）が、前記外管（４）から前記チューブ（６）の遠位部方向に引き出されることにより、
前記接続内管（３）の外周と、前記接続外管（４）の内周との間隔は狭められ、
前記チューブ（６）は接続内管（３）の外周と接続外管（４）の内周とにより、圧迫されることで前記チューブ（６）の外周と、前記接続外管（４）の内周との間で摩擦力が生じることで、さらにきつくかしめられ、前記チューブ（６）が前記接続内管（３）から引き抜けるのを防ぐことができる、ことを特徴とする医療用具（１）。
【請求項２】
医療用具本体（１２）と、接続管（１３）と、弾性変形部（１５）と、チューブ（１６）とを有し、
前記医療用具本体（１２）、前記接続管（１３）、前記弾性変形部（１５）及び前記チューブ（１６）の各部材は、それぞれ長手方向を有し、
前記医療用具本体（１２）は、前記長手方向に上部方向と、底部方向とを有し、前記長手方向に近位部と遠位部とを有し、さらに前記長手方向と略垂直に交わる周方向を有し、
前記近位部は、前記医療用具本体（１２）の底部（Ｂ）方向に近い位置であり、前記遠位部は、前記医療用具本体（１２）の底部（Ｂ）方向に遠い位置であり、
前記医療用具本体（１２）の底部（Ｂ）から上部方向と反対方向に、
前記弾性変形部（１５）及び前記接続管（１３）を突設し、
前記弾性変形部（１５）は近位部を前記医療用具本体（１２）の底部（Ｂ）に接続し、
前記弾性変形部（１５）は遠位部を、前記接続管（１３）の近位部に接続し、
前記弾性変形部（１５）に、肉薄で少なくとも一箇所以上の屈曲部（１７）を形成し、
前記チューブ（１６）を前記医療用具本体（２）に接続する時に、前記チューブ（１６）の近位部を、前記接続管（１３）に接続し、
前記チューブ（１６）の遠位部方向に力を加える時は、
前記弾性変形部（１５）の屈曲部（１７）は、変形・延伸され、
前記接続内管（１３）は、前記チューブ（１６）の遠位部方向に引き伸ばされ、
前記チューブ（１６）の内周と前記接続管（１３）の外周との摩擦力が前記弾性変形部（１５）の形状保持力より強い場合、
前記弾性変形部（１５）の形状が変形・延伸されることで、前記チューブ（１６）を引き抜く力が吸収緩和され、
前記チューブ（１６）が前記接続内管（１３）から引き抜けるのを防ぐことができる、ことを特徴とする医療用具（１１）。
【請求項３】
医療用具本体（２２）と、接続内管（２３）と、接続外管（２４）とチューブ（２６）とを有し、
前記医療用具本体（２２）、前記接続内管（２３）及び前記接続外管（２４）及びチューブ（２６）の各部材は、それぞれ長手方向を有し、
前記医療用具本体（２２）は、前記長手方向に上部方向と、底部方向とを有し、前記長手方向に近位部と遠位部とを有し、さらに前記長手方向と略垂直に交わる周方向を有し、
前記近位部は、前記医療用具本体（２２）の底部方向に近い位置であり、
前記遠位部は、前記医療用具本体（２２）の底部方向に遠い位置であり、
前記医療用具本体（２２）の底部（Ｂ）外周に、当該底部（Ｂ）から上部方向と反対方向に、前記接続外管（２４）を突設し、
前記底部（Ｂ）内周に、前記接続内管（２３）の近位部を接続し、当該接続内管（２４）を、前記医療用具本体（２２）の上部方向と反対方向に突設し、
前記接続内管（２３）と前記接続外管（２４）との間に前記チューブ（２６）を接続し、
前記接続内管（２３）の外周を遠位部方向に向けて、次第に拡径するテーパー（ＴＰ）に形成し、
前記接続内管（２３）の近位部に肉薄の弾性変形部（２５）を形成し、
前記チューブ（２６）を前記医療用具本体（２２）に接続する時は、
前記チューブ（２６）の近位部を、前記医療用具本体（２２）の上部方向に
前記接続内管（２３）のテーパー（ＴＰ）に沿って押し込むことで、
前記チューブ（２６）の内周は、前記接続内管（２３）のテーパー（ＴＰ）により前記接続外管（２４）の内周方向へ押さえつけられ、
前記チューブ（２６）の近位部は、前記接続内管（２３）の外周と、前記接続外管（２４）の内周との間に強固に圧入嵌合され、
前記チューブ（２６）の遠位部方向に力を加える時は、
前記弾性変形部（２５）が、前記チューブ（２６）の遠位部方向に変形するとともに前記テーパー（ＴＰ）も内周方向に変形し、
前記チューブ（２６）の内周と前記接続内管（２３）の外周、及び前記チューブ（２６）の外周と前記接続外管（２４）の内周との間の摩擦力が、前記テーパー（ＴＰ）、及び当該テーパー（ＴＰ）に形成した弾性変形部（２５）の形状保持力より強い場合、
前記チューブ（２６）の遠位部方向に力が加わっても、これに追随して前記弾性変形部（２５）の形状が前記チューブ（２６）の遠位部方向に変形・延伸するとともに、前記テーパー（ＴＰ）も内周方向に、変形することで前記チューブ（２６）を引き抜く力が吸収緩和され、
前記チューブ（２６）が、前記接続内管（２３）の外周と接続外管（２４）の内周との間から引き抜けるのを防ぐことができる、
ことを特徴とする医療用具（２１）。
【請求項４】
医療用具本体（３２）と、接続内管（３３）と、接続外管（３４）とチューブ（３６）とを有し、
前記医療用具本体（３２）、前記接続内管（３３）及び前記接続外管（３４）及び前記チューブ（３６）の各部材は、それぞれ長手方向を有し、前記医療用具本体（２２）は、前記長手方向に上部方向と、底部方向とを有し、
前記長手方向に近位部と遠位部とを有し、さらに前記長手方向と略垂直に交わる周方向を有し、
前記近位部は、前記医療用具本体（３２）の底部方向に近い位置であり、
前記遠位部は、前記医療用具本体（３２）の底部方向に遠い位置であり、
前記医療用具本体（３２）の底部（Ｂ）外周に、当該底部（Ｂ）から
上部方向と反対方向に、前記接続外管（３４）を突設し、
前記底部（Ｂ）内周に、前記接続内管（３３）の近位部を接続し、当該接続内管（３４）を、前記医療用具本体（３２）の上部方向と反対方向に突設し、
前記接続内管（３３）と前記接続外管（３４）との間に前記チューブ（６）を接続し、
前記接続内管（３３）を遠位部方向に向けて、次第に拡径するテーパー（ＴＰ）に形成し、
前記接続内管（３３）の近位部に、肉薄の第１の弾性変形部（３５）を形成し、前記医療用具本体（３２）の底部（Ｂ）の近傍に、肉薄の第２の弾性変形部（３５Ａ）を形成し、
前記チューブ（３６）を前記医療用具本体（３２）に接続する時は、
前記チューブ（３６）の近位部を、前記医療用具本体（３２）の上部方向に
前記接続内管（３３）のテーパー（ＴＰ）に沿って押し込むことで、
前記チューブ（３６）の内周は、前記接続内管（３３）のテーパー（ＴＰ）により前記接続外管（３４）の内周方向へ押さえつけられ、
前記チューブ（３６）の近位部は、前記接続内管（３３）の外周と、前記接続外管（３４）の内周との間に強固に圧入嵌合され、
前記チューブ（３６）の遠位部方向に力を加える時は、
前記第２の弾性変形部（３５Ａ）が前記チューブ（３６）の遠位部方向に変形・延伸するとともに前記接続外管（３４）も内周方向に変形し、
前記第１の弾性変形部（３５）が前記チューブ（３６）の遠位部方向に変形・延伸するとともに前記テーパー（ＴＰ）も内周方向に変形し、
前記チューブ（３６）と前記接続内管（３３）、前記接続外管（３４）との間の摩擦力が前記第２の弾性変形部（３５Ａ）と前記接続外管（３４）並びに前記テーパー（ＴＰ）と、当該テーパー（ＴＰ）に形成した肉薄の第１の弾性変形部（３５）の形状保持力より強い場合、
前記チューブ（３６）を引き抜く方向に力が加わっても、これに追随して前記第１の弾性変形部（３５）と、第２の弾性変形部（３５Ａ）の形状が前記チューブ（３６）の遠位部方向に変形・延伸するとともに、前記接続外管（３４）と前記テーパー（ＴＰ）も内周方向に変形することで、前記チューブ（３６）を引き抜く力が吸収緩和され、前記チューブ（３６）が前記接続内管（３３）と前記接続外管（３４）との間から引き抜けるのを防ぐことができる、
ことを特徴とする医療用具（３１）。
【発明の詳細な説明】
【０００１】
【発明の属する技術分野】
本発明は、医療用具本体に接続管（接続内管と接続外管を含む）を突設し、該接続管（接続内管または接続内管と接続外管の間）にチューブを接続した医療用具に関し、より詳しくは医療用具本体の少なくとも一部に前記チューブが医療用具本体から引き抜ける方向に印加される力を吸収緩和することができる弾性変形部を形成した医療用具に関する。さらに詳述すれば前記接続管の医療用具本体側の壁面に弾性変形部を形成するかまたは接続内管と接続外管の間の壁面に弾性変形部を形成することにより、チューブが引き抜ける方向に印加される力を、前記弾性変形部より、吸収緩和して、チューブの切断を防止することのできる医療用具を提供する。
本発明の医療用具とは、要するに医療用具本体に接続管（接続内管と接続外管を含む）を突設し、該接続管（接続内管または接続内管と接続外管の間）にチューブを接続した医療用具を全て含み、例えば血液回路、血液バッグ、薬液バッグ、輸血・輸液セット、カテーテル等の医療用具として好適に使用される。
【０００２】
【従来技術及び発明が解決しようとする課題】
医療用具本体に接続管（接続内管と接続外管を含む）を突設し、該接続管（接続内管または接続内管と接続外管の間）にチューブを接続する手段として、（Ａ）溶剤、接着剤による接続（以下、溶剤等による接続）、（Ｂ）ヒーター、超音波、高周波、レーザー等を用いた物理的接続（以下、物理的接続）、（Ｃ）さらに接続管または接続外管とチューブの外周にかしめチューブを被冠してかしめ嵌合による接続（以下、かしめ嵌合）等が実施されているが、前記（Ａ）は、溶剤等が医療用具中を通過する薬液、血液等に接触する機会があるので、衛生上好ましくない。他方、前記（Ｂ）は、接続に際し、種々の装置や工程が必要であり、また接続面に物理的変形が生じやすいので好ましくない。また前記（Ｃ）は、時間の経過とともにチューブ等の応力緩和により、かしめが緩くなる傾向がある。前記（Ａ）、（Ｂ）、（Ｃ）のいずれの接続手段においても、チューブが引き抜ける方向に力が印加されると、接続強度が弱いとチューブが接続管（接続内管または接続内管と接続外管の間）から抜けたり、また接続が強いと、チューブが途中から切断してしまう減少が少なからず生じていた。
【０００３】
そこで、本発明者らは、医療用具本体に接続管（接続内管と接続外管を含む）を突設し、該接続管（接続内管または接続内管と接続外管の間）にチューブを接続する手段として、前記（Ａ）、（Ｂ）、（Ｃ）の手段によらず、より簡単に接続できる手段並びにチューブが接続管（接続内管または接続内管と接続外管の間）から抜けたり、またチューブが途中から切断しない接続手段について鋭意検討を重ねた結果、次の発明に到達した。
【０００４】
【課題を解決するための手段】
［１］本発明は、医療用具本体（２）と、接続内管（３）と、接続外管（４）と、チューブ（６）とを有し、
前記医療用具本体（２）、前記接続内管（３）、前記接続外管（４）及び前記チューブ（６）の各部材は、それぞれ長手方向を有し、
前記医療用具本体（２）は、前記長手方向に上部方向と、底部方向とを有し、
前記接続内管（３）、前記接続外管（４）及び前記チューブ（６）の各部材は、
前記長手方向に近位部と遠位部とを有し、さらに前記長手方向と略垂直に交わる周方向を有し、
前記近位部は、前記医療用具本体（２）の底部（Ｂ）方向に近い位置であり、
前記遠位部は、前記医療用具本体（２）の底部（Ｂ）方向に遠い位置であり、
前記医療用具本体（２）の底部（Ｂ）から上部方向と反対方向に、前記接続外管（４）を突設し、
当該接続外管（４）の近位部に、肉薄の弾性変形部（５）を介して、前記接続内管（３）の近位部を接続し、当該接続内管（３）は、前記医療用具本体（２）の上部方向と反対方向に突設し、
前記接続内管（３）と前記接続外管（４）は、前記医療用具本体（２）の底部（Ｂ）方向に向けて、次第に拡径するテーパー（ＴＰ）状に形成し、
前記接続内管（３）の外周に前記チューブ（６）を接続し、
前記チューブ（６）を医療用具本体（２）に接続する時に、
前記チューブ（６）の近位部を、前記医療用具本体（２）の上部方向に、押し込むことで、前記接続内管（３）の外周と前記チューブ（６）の内周との摩擦により、前記弾性変形部（５）が変形・延伸して、
前記接続内管（３）の近位部は、前記医療用具本体（２）の底部（Ｂ）よりも上部方向に押し込まれ、
前記接続内管（３）の外周と前記接続外管（４）の内周との間隔は広くなり、これにより前記接続外管（４）の内周と、前記チューブ（６）の外周とのとの間に隙間が生じ、前記チューブ（６）の外周は、前記接続内管（３）の外周に挿入され、
前記チューブ（６）の遠位部方向に力を加える時は、
前記弾性変形部（５）が、前記医療用具本体（２）の底部（Ｂ）から、前記チューブ（６）の遠位部方向に変形し、
前記接続内管（３）は、前記接続外管（４）より前記チューブ（６）の遠位部方向に引き出され、
前記接続内管（３）の外周と前記接続外管（４）の内周との間隔は狭くなり、
さらに接続内管（３）が、前記外管（４）から前記チューブ（６）の遠位部方向に引き出されることにより、
前記接続内管（３）の外周と、前記接続外管（４）の内周との間隔は狭められ、
前記チューブ（６）は接続内管（３）の外周と接続外管（４）の内周とにより、圧迫されることで前記チューブ（６）の外周と、前記接続外管（４）の内周との間で摩擦力が生じることで、さらにきつくかしめられ、前記チューブ（６）が前記接続内管（３）から引き抜けるのを防ぐことができる、医療用具（１）を提供する。
［２］本発明は、医療用具本体（１２）と、接続管（１３）と、弾性変形部（１５）と、チューブ（１６）とを有し、
前記医療用具本体（１２）、前記接続管（１３）、前記弾性変形部（１５）及び前記チューブ（１６）の各部材は、それぞれ長手方向を有し、
前記医療用具本体（１２）は、前記長手方向に上部方向と、底部方向とを有し、前記長手方向に近位部と遠位部とを有し、さらに前記長手方向と略垂直に交わる周方向を有し、
前記近位部は、前記医療用具本体（１２）の底部（Ｂ）方向に近い位置であり、前記遠位部は、前記医療用具本体（１２）の底部（Ｂ）方向に遠い位置であり、
前記医療用具本体（１２）の底部（Ｂ）から上部方向と反対方向に、
前記弾性変形部（１５）及び前記接続管（１３）を突設し、
前記弾性変形部（１５）は近位部を前記医療用具本体（１２）の底部（Ｂ）に接続し、
前記弾性変形部（１５）は遠位部を、前記接続管（１３）の近位部に接続し、
前記弾性変形部（１５）に、肉薄で少なくとも一箇所以上の屈曲部（１７）を形成し、
前記チューブ（１６）を前記医療用具本体（２）に接続する時に、前記チューブ（１６）の近位部を、前記接続管（１３）に接続し、
前記チューブ（１６）の遠位部方向に力を加える時は、
前記弾性変形部（１５）の屈曲部（１７）は、変形・延伸され、
前記接続内管（１３）は、前記チューブ（１６）の遠位部方向に引き伸ばされ、
前記チューブ（１６）の内周と前記接続管（１３）の外周との摩擦力が前記弾性変形部（１５）の形状保持力より強い場合、
前記弾性変形部（１５）の形状が変形・延伸されることで、前記チューブ（１６）を引き抜く力が吸収緩和され、
前記チューブ（１６）が前記接続内管（１３）から引き抜けるのを防ぐことができる、医療用具（１１）を提供する。
［３］本発明は、医療用具本体（２２）と、接続内管（２３）と、接続外管（２４）とチューブ（２６）とを有し、
前記医療用具本体（２２）、前記接続内管（２３）及び前記接続外管（２４）及びチューブ（２６）の各部材は、それぞれ長手方向を有し、
前記医療用具本体（２２）は、前記長手方向に上部方向と、底部方向とを有し、前記長手方向に近位部と遠位部とを有し、さらに前記長手方向と略垂直に交わる周方向を有し、
前記近位部は、前記医療用具本体（２２）の底部方向に近い位置であり、
前記遠位部は、前記医療用具本体（２２）の底部方向に遠い位置であり、
前記医療用具本体（２２）の底部（Ｂ）外周に、当該底部（Ｂ）から上部方向と反対方向に、前記接続外管（２４）を突設し、
前記底部（Ｂ）内周に、前記接続内管（２３）の近位部を接続し、当該接続内管（２４）を、前記医療用具本体（２２）の上部方向と反対方向に突設し、
前記接続内管（２３）と前記接続外管（２４）との間に前記チューブ（２６）を接続し、
前記接続内管（２３）の外周を遠位部方向に向けて、次第に拡径するテーパー（ＴＰ）に形成し、
前記接続内管（２３）の近位部に肉薄の弾性変形部（２５）を形成し、
前記チューブ（２６）を前記医療用具本体（２２）に接続する時は、
前記チューブ（２６）の近位部を、前記医療用具本体（２２）の上部方向に
前記接続内管（２３）のテーパー（ＴＰ）に沿って押し込むことで、
前記チューブ（２６）の内周は、前記接続内管（２３）のテーパー（ＴＰ）により前記接続外管（２４）の内周方向へ押さえつけられ、
前記チューブ（２６）の近位部は、前記接続内管（２３）の外周と、前記接続外管（２４）の内周との間に強固に圧入嵌合され、
前記チューブ（２６）の遠位部方向に力を加える時は、
前記弾性変形部（２５）が、前記チューブ（２６）の遠位部方向に変形するとともに前記テーパー（ＴＰ）も内周方向に変形し、
前記チューブ（２６）の内周と前記接続内管（２３）の外周、及び前記チューブ（２６）の外周と前記接続外管（２４）の内周との間の摩擦力が、前記テーパー（ＴＰ）、及び当該テーパー（ＴＰ）に形成した弾性変形部（２５）の形状保持力より強い場合、
前記チューブ（２６）の遠位部方向に力が加わっても、これに追随して前記弾性変形部（２５）の形状が前記チューブ（２６）の遠位部方向に変形・延伸するとともに、前記テーパー（ＴＰ）も内周方向に、変形することで前記チューブ（２６）を引き抜く力が吸収緩和され、
前記チューブ（２６）が、前記接続内管（２３）の外周と接続外管（２４）の内周との間から引き抜けるのを防ぐことができる、医療用具（２１）を提供する。
［４］本発明は、医療用具本体（３２）と、接続内管（３３）と、接続外管（３４）とチューブ（３６）とを有し、
前記医療用具本体（３２）、前記接続内管（３３）及び前記接続外管（３４）及び前記チューブ（３６）の各部材は、それぞれ長手方向を有し、前記医療用具本体（２２）は、前記長手方向に上部方向と、底部方向とを有し、
前記長手方向に近位部と遠位部とを有し、さらに前記長手方向と略垂直に交わる周方向を有し、
前記近位部は、前記医療用具本体（３２）の底部方向に近い位置であり、
前記遠位部は、前記医療用具本体（３２）の底部方向に遠い位置であり、
前記医療用具本体（３２）の底部（Ｂ）外周に、当該底部（Ｂ）から
上部方向と反対方向に、前記接続外管（３４）を突設し、
前記底部（Ｂ）内周に、前記接続内管（３３）の近位部を接続し、当該接続内管（３４）を、前記医療用具本体（３２）の上部方向と反対方向に突設し、
前記接続内管（３３）と前記接続外管（３４）との間に前記チューブ（６）を接続し、
前記接続内管（３３）を遠位部方向に向けて、次第に拡径するテーパー（ＴＰ）に形成し、
前記接続内管（３３）の近位部に、肉薄の第１の弾性変形部（３５）を形成し、前記医療用具本体（３２）の底部（Ｂ）の近傍に、肉薄の第２の弾性変形部（３５Ａ）を形成し、
前記チューブ（３６）を前記医療用具本体（３２）に接続する時は、
前記チューブ（３６）の近位部を、前記医療用具本体（３２）の上部方向に
前記接続内管（３３）のテーパー（ＴＰ）に沿って押し込むことで、
前記チューブ（３６）の内周は、前記接続内管（３３）のテーパー（ＴＰ）により前記接続外管（３４）の内周方向へ押さえつけられ、
前記チューブ（３６）の近位部は、前記接続内管（３３）の外周と、前記接続外管（３４）の内周との間に強固に圧入嵌合され、
前記チューブ（３６）の遠位部方向に力を加える時は、
前記第２の弾性変形部（３５Ａ）が前記チューブ（３６）の遠位部方向に変形・延伸するとともに前記接続外管（３４）も内周方向に変形し、
前記第１の弾性変形部（３５）が前記チューブ（３６）の遠位部方向に変形・延伸するとともに前記テーパー（ＴＰ）も内周方向に変形し、
前記チューブ（３６）と前記接続内管（３３）、前記接続外管（３４）との間の摩擦力が前記第２の弾性変形部（３５Ａ）と前記接続外管（３４）並びに前記テーパー（ＴＰ）と、当該テーパー（ＴＰ）に形成した肉薄の第１の弾性変形部（３５）の形状保持力より強い場合、
前記チューブ（３６）を引き抜く方向に力が加わっても、これに追随して前記第１の弾性変形部（３５）と、第２の弾性変形部（３５Ａ）の形状が前記チューブ（３６）の遠位部方向に変形・延伸するとともに、前記接続外管（３４）と前記テーパー（ＴＰ）も内周方向に変形することで、前記チューブ（３６）を引き抜く力が吸収緩和され、前記チューブ（３６）が前記接続内管（３３）と前記接続外管（３４）との間から引き抜けるのを防ぐことができる、医療用具（３１）を提供する。
【０００５】
【発明の実施の形態】
本発明の医療用具は、医療用具本体（２、１２、２２、３２）と、接続管［接続内管３、接続管１３、接続内管（２３、３３）、接続外管（２４、３４）］と、チューブ（６、１６、２６、３６）とを有する。
医療用具本体（２、１２、２２、３２）、接続管［接続内管３、接続管１３、接続内管（２３、３３）、接続外管（２４、３４）］及びチューブ（６、１６、２６、３６）の各部材は、それぞれ長手方向を有する。
医療用具本体（２、１２、２２、３２）は、長手方向に上部方向と、底部方向とを有する。
接続管［接続内管３、接続管１３、接続内管（２３、３３）、接続外管（２４、３４）］及びチューブ（６、１６、２６、３６）の各部材は、長手方向に近位部と遠位部とを有し、さらに長手方向と略垂直に交わる周方向を有する。
近位部は、医療用具本体（２、１２、２２、３２）の底部（Ｂ）方向に近い位置であり、遠位部は、医療用具本体（２、１２、２２、３２）の底部（Ｂ）方向に遠い位置である。
本発明の医療用具は、医療用具本体（２、１２、２２、３２）に接続管［接続内管３、接続管１３、接続内管（２３、３３）、接続外管（２４、３４）］を突設している。
チューブ（６、１６、２６、３６）の先端（近位部）を接続管［接続内管（３）の外周、接続管（１３）の外周、接続内管（２３、３３）の外周と接続外管（２４、３４）の内周との間］に圧入して接続している。
医療用具（医療用具本体、接続管、接続内管、接続外管も含む）の少なくとも一部に、前記チューブが医療用具本体から引き抜ける方向に印加される力を吸収緩和することができる弾性変形部（肉薄部、肉薄部と屈曲部の組み合わせ、蛇腹部、ゴム状弾性部、テーパー部またはこれらの組み合わせ等）を形成した医療用具である。
さらに詳述すれば本発明の医療用具１、１１、２１、３１は、送液流路を兼ねた剛直な接続内管３、２３、３３、接続外管４、２４、３４、接続管１３を例えばチャンバ−等の医療用具本体２、１２、２２、３２に一体成形し、これらの成形品（医療用具本体２、１２、２２、３２、接続内管３、２３、３３、接続外管４、２４、３４、接続管１３）の少なくとも一部に、例えば他の部分より肉厚の薄い外力を吸収することのできる弾性変形部５、１５、２５、３５、３５Ａを形成したものである。
チューブ６、１６は接続内管３、接続管１３の外周に圧入またはチューブ２６、３６は接続内管２３、３３と接続外管２４、３４の間に圧入することにより接続されるが、チューブ６、１６と接続内管３、接続管１３との摩擦力またはチューブ２６、３６と接続内管２３、３３、接続外管２４、３４の摩擦力よりも、弾性変形部５、１５、２５、３５、３５Ａの形状保持力を弱くすることで、チューブ６、１６、２６、３６を脱離する方向に外力が加えられた際、弾性変形部５、１５、２５、３５、３５Ａが変形もしくは延伸することで、外力を吸収してチューブ６、１６、２６、３６の脱落を防止することができる。
または外力が加えられ医療用具１１、３１の一部が変形することでチューブ１６、３６を圧迫し、更に医療用具１１、３１への摩擦力を増加させてチューブ１６、３６の脱落を防止することができる。
【０００６】
図１は本発明の医療用具１の一例を示す断面図（それぞれ（Ａ）はチューブ挿入時、（Ｂ）は医療用具組み立て終了時、（Ｃ）はチューブ引き抜き時の断面図）である。
図２は本発明の医療用具１１の一例を示す断面図（それぞれ（Ａ）は医療用具組み立て終了時、（Ｂ）はチューブ引き抜き時の断面図）である。
図１に例示した医療用具１は、医療用具本体２に接続内管３と接続外管４を突設し、当該接続内管３の外周にチューブ６を接続し、前記接続内管３と接続外管４の間の壁面Ｗ１に他の部分よりも肉薄の弾性変形部５を形成した医療用具１である。
さらに接続内管３と接続外管４は、少なくとも一部が医療用具本体２方向に向けて次第に拡径するテーパーＴＰ状に形成されている。
さらに詳述すれば、図１に例示した医療用具１は、医療用具本体２の底部Ｂから上部方向と反対方向に、接続外管４を突設している。
当該接続外管４の近位部に、肉薄の弾性変形部５を介して、接続内管３の近位部を接続している。当該接続内管３は、医療用具本体２の上部方向と反対方向に突設している。
接続内管３と接続外管４は、医療用具本体２の底部Ｂ方向に向けて、次第に拡径するテーパー（ＴＰ）状に形成している。接続内管３の外周にチューブ６を接続している。
図２に例示した医療用具１１は、医療用具本体１２に接続管１３を突設し、当該接続管１３にチューブ１６を接続することにより構成され、前記接続管１３の前記医療用具本体１２側の壁面Ｗ２に、他の部分よりも肉薄で少なくとも一箇所以上の屈曲部１７を有する弾性変形部１５を形成した医療用具１１である。
さらに詳述すれば、図２に例示した医療用具１１は、医療用具本体１２の底部Ｂから上部方向と反対方向に、弾性変形部１５及び接続管１３を突設している。  弾性変形部１５は近位部を医療用具本体１２の底部Ｂに接続し、弾性変形部１は遠位部を、接続管１３の近位部に接続している。弾性変形部１５に、肉薄で少なくとも一箇所以上の屈曲部１７を形成している。
【０００７】
次に医療用具１について図１を参照しながら詳述する。
図１（Ａ）のように、チューブ６を医療用具本体２に接続する時には、チューブ６を接続内管３に押し込むことで接続内管３とチューブ６の摩擦により、薄く成形された弾性変形部５が変形・延伸され、接続内管３は接続外管４の奥に押し込まれる。それにより接続内管３の外周と接続外管４の内周との間隔は広くなる。これにより接続外管４の内周とチューブ６の外周との間に隙間が生じ、チューブは図１（Ｂ）のように、スムーズに接続内管３に挿入される。接続内管３の内周と接続外管４の外周との間隔はチューブ６の厚みと同等かわずかに狭い程度に設定することで、チューブ６は適度にかしめられ脱落、液漏れもなく使用に適する。
他方図１（Ｃ）のようにチューブ６の遠位部方向に、脱落させるように力を加えると、薄く成形された弾性変形部５が下方（遠位部方向）に変形して、接続内管３は外側に引き出され、接続内管３の外周と接続外管４の内周との間隔は狭くなる。チューブ６と接続内管３との摩擦力が薄く成形された弾性変形部５の形状保持力より強い場合、弾性変形部５の形状が変形・延伸されることでチューブ６を引き抜く力が吸収緩和され、チューブ６の接続内管３からの脱落を防止することが可能となる。
さらに接続内管３は外側に引き出されることにより、接続内管３の外周と接続外管４の内周との間隔は狭められる。その狭められた接続内管３と接続外管４の面に圧迫されることでチューブ６は接続外管４とも摩擦力が生じることでさらにきつくかしめられ、チューブ６の接続内管３からの脱落を防止することが可能となる。さらにチューブ６の伸びが開始する力は弾性変形部５が変形する力よりも同等か小さい力であることが望ましい。
【０００８】
次に医療用具１１について図２を参照しながら詳述する。
図２（Ａ）に示すようにチューブ１６を前記医療用具本体（２）に接続する時に、チューブ１６の近位部を、接続管１３に接続する。
図２（Ｂ）に示すように、チューブ１６を接続管１３から脱落させるように力を加えると、他の部分よりも肉薄で屈曲部１７を有する弾性変形部１５が変形・延伸され、接続内管１３は外側に引き出される。チューブ１６と接続管１３の摩擦力が弾性変形部１５の形状保持力より強い場合、弾性変形部１５の形状が変形・延伸されることで、チューブ１６を引き抜く力が吸収緩和され、チューブ１６の接続内管１３からの脱落を防止することが可能となる。
【０００９】
図３及び図４は本発明の医療用具２１、３１の一例を示す断面図（それぞれ（Ａ）は医療用具組み立て終了時、（Ｂ）はチューブ引き抜き時の断面図）である。
図３に例示した医療用具２１は、医療用具本体２２に接続内管２３と接続外管２４を突設し、当該接続内管２３と接続外管２４の間にチューブ６を接続し、前記接続内管２３をチューブ２６の装着方向に向けて、次第に拡径するテーパーに形成し、前記接続内管２３の前記医療用具本体２２側の壁面Ｗ３に弾性変形部２５を形成した医療用具２１である。
さらに詳述すれば、図３に例示した医療用具２１は、医療用具本体２２の底部Ｂ外周に、底部Ｂから上部方向と反対方向に、接続外管２４を突設している。
底部Ｂ内周に、接続内管２３の近位部を接続し、接続内管２４を、医療用具本体２２の上部方向と反対方向に突設している。
接続内管２３と接続外管２４との間にチューブ２６を接続している。
接続内管２３の外周を遠位部方向に向けて、次第に拡径するテーパーＴＰに形成している。接続内管２３の近位部に肉薄の弾性変形部２５を形成している。
図４に例示した医療用具３１は、医療用具本体３２に接続内管３３と接続外管３４を突設し、当該接続内管３３と接続外管３４の間にチューブ３６を接続し、前記接続内管３３をチューブ３６の装着方向に向けて、次第に拡径するテーパーＴＰに形成し、前記接続内管３３の前記医療用具本体３２側の壁面Ｗ３に弾性変形部３５を形成し、前記医療用具本体３２の前記接続内管３３側の壁面Ｗ４に弾性変形部３５Ａを形成した医療用具３１である。
さらに詳述すれば、図４に例示した医療用具３１は、医療用具本体３２の底部Ｂ外周に、当該底部（Ｂ）から上部方向と反対方向に、接続外管３４を突設している。底部Ｂ内周に、接続内管３３の近位部を接続し、接続内管３４を、医療用具本体３２の上部方向と反対方向に突設している。
接続内管３３と接続外管３４との間にチューブ６を接続している。接続内管３３を遠位部方向に向けて、次第に拡径するテーパーＴＰに形成している。接続内管３３の近位部に、肉薄の第１の弾性変形部３５を形成し、医療用具本体３２の底部（Ｂ）の近傍に、肉薄の第２の弾性変形部３５Ａを形成している。
【００１０】
医療用具２１について、図３を参照しながら詳述する。
チューブ２６を医療用具本体２２に接続する時には、チューブ２６を接続内管２３のテーパーＴＰに沿って押し込むことで、図３（Ａ）のようにチューブ２６は接続内管２３のテーパーＴＰにより接続外管２４方向へ押さえつけられるので接続内管２３と接続外管２４の間に強固に圧入嵌合される。
接続内管２３の外周と接続外管２４の内周との間隔は、チューブ２６の厚みと同等かわずかに狭い程度に設定することで、チューブ２６は接続内管２３と接続外管２４の間に強固に圧入嵌合することができる。
他方、図３（Ｂ）のようにチューブ２６の遠位部方向に、脱落させるように力を加えると、前記テーパーＴＰに形成した肉薄の弾性変形部２５が下方（遠位部方向）に変形するとともに前記テーパーＴＰも内側に変形する。
チューブ２６と接続内管２３、接続外管２４の間［チューブ２６内周と接続内管２３外周との間、チューブ２６外周と接続外管２４内周との間］の摩擦力が前記テーパーＴＰとテーパーＴＰに形成した肉薄の弾性変形部２５の形状保持力より強い場合、チューブ２６を引き抜く方向に力が加わっても、これに追随して弾性変形部２５の形状が下方（遠位部方向）に変形・延伸するとともに前記テーパーＴＰも内側に変形することでチューブ２６を引き抜く力が吸収緩和され、チューブ２６は前記接続内管２３と接続外管２４の間から抜けることがない。
【００１１】
医療用具３１について、図４を参照しながら詳述する。
医療用具３１も前記医療用具２１と同様に、チューブ３６を医療用具本体３２に接続する（図４（Ａ）参照）。
他方、図４（Ｂ）のようにチューブ３６の遠位部方向に、脱落させるように力を加えると前記肉薄の弾性変形部３５Ａが下方（遠位部方向）に変形・延伸するとともに前記接続外管３４も内側に変形し、さらに前記テーパーＴＰに形成した肉薄の弾性変形部３５が下方（遠位部方向）に変形・延伸するとともに前記テーパーＴＰも内側に変形する。
チューブ３６と接続内管３３、接続外管３４の間［チューブ３６内周と接続内管３３外周との間、チューブ３６外周と接続外管３４内周との間］の摩擦力が前記肉薄の第２の弾性変形部３５Ａと前記接続外管３４並びに前記テーパーＴＰとテーパーＴＰに形成した肉薄の第１の弾性変形部３５の形状保持力より強い場合、チューブ３６を引き抜く方向に力が加わっても、これに追随して各弾性変形部３５、３５Ａの形状が下方に変形・延伸するとともに前記接続外管３４と前記テーパーＴＰも内側に変形することでチューブ３６を引き抜く力が吸収緩和され、チューブ３６は前記接続内管３３と接続外管３４の間から抜けることがない。
さらに接続外管３４が内側に変形することにより、接続内管３３の外周と接続外管３４の内周との間隔は狭められる。その狭められた接続内管３３と接続外管３４の面に圧迫されることでチューブ３６はこれら接続内管３３と接続外管３４との摩擦力が増加することでさらにきつくかしめられ、チューブ３６が接続内管３３と接続外管３４の間から脱落するのをより確実に防止することができる。
【００１２】
本発明で、前記医療用具１、、１１、２１、３１を構成する接続間１３、接続内管３、２３、３３、接続外管４、２４、３４を有する医療用具本体２、１２、２２、３２と、接続内管３と接続管１３の外周または接続内管２３、３３と接続外管２４、３４の間に接続されるチューブ６、１６、２６、３６の構成材料は、前記本発明の目的、作用効果を達成することができるものであれば、何でも採用することができる。
【００１３】
以上のように本発明の医療用具は、チューブ（６、１６、２６、３６）の先端（近位部）を接続管［接続内管（３）の外周、接続管（１３）の外周、接続内管（２３、３３）の外周と接続外管（２４、３４）の内周との間］に圧入するのみで、容易に医療用具本体（２、１２、２２、３２）に接続でき、またチューブ（６、１６、２６、３６）が引き抜ける方向（遠位部方向）に印加される力を、弾性変形部（５、１５、２５、３５、３５Ａ）により、吸収緩和して、チューブ（６、１６、２６、３６）の抜けあるいは切断を防止することができる。
【図面の簡単な説明】
【図１】本発明の医療用具の断面図
【図２】本発明の医療用具の断面図
【図３】本発明の医療用具の断面図
【図４】本発明の医療用具の断面図
【符号の説明】
１、１１、２１、３１  医療用具
２、１２、２２、３２  医療用具本体
Ｂ  （医療用具本体の）底部
３、２３、３３  接続内管
４、２４、３４  接続外管
５、１５、２５  弾性変形部
３５      第１の弾性変形部
３５Ａ    第２の弾性変形部
６、１６、２６、３６  チューブ
１３  接続管
１７  屈曲部
【図１】
0004629890.tif 000002
【図２】
0004629890.tif 000003
【図３】
0004629890.tif 000004
【図４】
0004629890.tif 000005